(57)【要約】  携帯電話のカメラ機能をデジタル拡大鏡として使用する際の使いやすいユーザインタフェースがなかった。  カメラ機能を持つ携帯電話において、操作部１は、携帯電話のボタンやメニューの操作を行うための操作部であり、拡大鏡ボタンや各メニューの操作を行う。カメラ制御部２は、操作部の処理内容に応じてカメラを制御する。照明部３は撮影物を照射する機能を持ち、拡大鏡モード設定時には自動的にオンされる。ズーム部４は、撮影物を拡大撮影するための設定を行う。拡大率は、拡大鏡モードの設定をはじめ、各機能に応じて設定されている。接写部５は、撮影物を接写する場合に対象物に焦点を合わせる処理を行う。例えば、近くの書面の文字を拡大表示する場合などに用いる。画像記憶部６は、撮影画像データを記憶するものであり、拡大する前の画像を保存する際などにも用いられる。画像処理部７は、種々の画像処理を行う。画像表示部８は撮影画像を表示する。各機能の処理を行うことにより画像に処理が加わっている場合には、処理後の画像を表示する。これらのうち、照明部３と、ズーム部４と、接写部５と、画像記憶部６と、画像処理部７と、カメラ制御部２のうちこれらに関連する制御を一括して行う拡大鏡機能制御部２ａとを統合した拡大鏡機能処理部Ｚを備える。
2005041563.tif 000002
【特許請求の範囲】
【請求項１】
撮影機能と該撮影機能により撮影された画像を表示する画像表示機能とを有する携帯電話であって、
前記撮影機能により撮影された撮影画像を拡大する拡大表示機能と、近くを撮影する際に用いられる接写機能と、撮影対象物を照らす照明機能と、表示画面上に表示されているアイコンや時計を非表示とし撮影画像のみを表示する撮影画像全画面表示機能と、撮影画像サイズを待受画面サイズに合わせる撮影画像サイズ設定機能と、からなる群のうちから選択される少なくとも２以上の機能に関する処理を統合した拡大鏡モードを具備することを特徴とする携帯電話。
【請求項２】
さらに、拡大させる表示領域を指定する拡大表示領域指定機能を具備することを特徴とする請求項１に記載の携帯電話。
【請求項３】
さらに、拡大後の表示範囲を、拡大処理前に予め表示する拡大範囲表示機能を具備することを特徴とする請求項１又は２に記載の携帯電話。
【請求項４】
さらに、拡大表示の際に、全体のうちのある領域を識別標示する識別表示機能を具備することを特徴とする請求項１から３までのいずれか１項に記載の携帯電話。
【請求項５】
さらに、方向キーの操作により、拡大表示する領域を変更する拡大表示領域変更機能を具備することを特徴とする請求項１から４までのいずれか１項に記載の携帯電話。
【請求項６】
さらに、拡大後の画像を目立たせて表示する強調表示処理機能を具備することを特徴とする請求項１から５までのいずれか１項に記載の携帯電話。
【請求項７】
撮影機能と該撮影機能により撮影された画像を表示する画像表示機能とを有する携帯電話であって、
前記撮影機能により撮影された撮影画像を拡大する拡大表示機能であって、予め設定されている拡大率を記憶する拡大率記憶部と、該拡大率記憶部に記憶されている拡大率で前記画像を拡大させる拡大表示制御部と、を有する拡大鏡モードを具備することを特徴とする携帯電話。
【請求項８】
撮影機能と該撮影機能により撮影された画像を表示する画像表示機能とを有する携帯電話における拡大表示方法であって、
前記撮影機能により撮影された撮影画像を拡大する拡大表示機能と、近くを撮影する際に用いられる接写機能と、撮影対象物を照らす照明機能と、表示画面上に表示されているアイコンや時計を非表示とし撮影画像のみを表示する撮影画像全画面表示機能と、撮影画像サイズを待受画面サイズに合わせる撮影画像サイズ設定機能と、のうちから選択される少なくとも２以上の機能に関する処理を一連の処理として実行するステップを有することを特徴とする拡大表示方法。
【請求項９】
請求項８に記載のステップをコンピュータに実行させるためのプログラム。
【請求項１０】
撮影機能と該撮影機能により撮影された画像を表示する画像表示部と、前記撮影機能により撮影された撮影画像データを記憶する画像記憶部と、を有する携帯電話であって、
前記撮影機能により撮影され前記画像記憶部に記憶された撮影画像を拡大して前記画像表示部に表示させる拡大表示機能と、近距離撮影を行う際に用いられる接写機能と、撮影対象物を照らす照明機能と、表示画面上に撮影画像のみを表示する撮影画像全画面表示機能と、撮影画像サイズを待受画面サイズに合わせる撮影画像サイズ設定機能と、からなる群のうちから選択される少なくとも２以上の機能に関する処理を統合して行う拡大鏡モードを具備することを特徴とする携帯電話。
【発明の詳細な説明】
【技術分野】
【０００１】
本発明は、撮影画像を液晶表示画面に表示し、更に撮影画像を拡大する拡大表示機能を備えているカメラ機能を持つ携帯電話に関するものである。
【背景技術】
【０００２】
従来から、高齢者や視力の弱い人などがそれを補う道具として拡大鏡を利用している。現在、カメラ機能付きの携帯電話が普及しつつあるが、カメラ機能は、人物、風景、文字、或いは、バーコードなどを撮影し、これを記録し或いは読み取り、電子メールで他人に送信することを主な目的としており、撮影の際に、携帯電話の液晶表示画面は、被写体の確認や操作メニューの表示画面としてのみ利用されている。【０００３】
最近では、携帯電話のカメラ機能の高機能化に伴って、液晶表示画面には拡大機能が付加されている。この機能を用い液晶画面表示を拡大鏡として利用する方法に関しては、特許文献１に記載されている。また、携帯電話によらず様々な入力方法による情報を拡大表示する方法に関しては特許文献２に記載されている。
【特許文献１】特開2002-374450号公報（「デジタルカメラ付き携帯電話」）
【特許文献２】特開2001-359088号公報（「平板型デジタル拡大鏡システム」）
【発明の開示】
【発明が解決しようとする課題】
【０００４】
上記特許文献１や特許文献２には、主に機器構成について記載されており、インタフェースについては、携帯電話に接写機能や照明手段を持たせたり、拡大率を調整する手段をもたせたりしている程度に過ぎなかった。しかしながら、表示画面の比較的小さい携帯電話においては、拡大鏡の機能をより使い勝手の良いものにすることが望まれている。【０００５】
本発明は、携帯電話のカメラ機能をデジタル拡大鏡として使用する際の使いやすいユーザインタフェースを提供することを目的とする。
【課題を解決するための手段】
【０００６】
本発明は、撮影機能と該撮影機能により撮影された画像を表示する画像表示機能とを有する携帯電話であって、前記撮影機能により撮影された撮影画像を拡大する拡大表示機能と、近くを撮影する際に用いられる接写機能と、撮影対象物を照らす照明機能と、表示画面上に表示されているアイコンや時計を非表示とし撮影画像のみを表示する撮影画像全画面表示機能と、撮影画像サイズを待受画面サイズに合わせる撮影画像サイズ設定機能と、から成る群のうちから選択される少なくとも２以上の機能に関する処理を統合した拡大鏡モードを具備することを特徴とする携帯電話である。【０００７】
撮影物を液晶画面に表示することができるカメラ機能を持つ携帯電話において、携帯電話のボタンやメニューの操作を行うための操作部は、拡大鏡モードボタンや各メニューの操作を行う。ここで、カメラ制御部は、操作部の処理内容に応じてカメラを制御する。照明部は撮影物を照射する機能を有し、拡大鏡モード設定時には自動的にオンされる。ズーム部は、撮影物を拡大撮影するための設定を行う。拡大率は、拡大鏡モードの設定をはじめ各機能に応じて設定される。接写部は撮影物を接写する場合に対象物に焦点を合わせる処理を行う。例えば、書面の文字を拡大表示する場合に用いる。画像記憶部は、撮影画像を記憶し、拡大する前の画像を保存することもできる。画像処理部は、画像処理を行う。画像表示部は撮影画像を表示する。各機能の処理によって画像に処理が加わっている場合に処理後の画像を表示する。【０００８】
また、本発明は、撮影機能と該撮影機能により撮影された画像を表示する画像表示部と、前記撮影機能により撮影された撮影画像データを記憶する画像記憶部と、を有する携帯電話であって、前記撮影機能により撮影され前記画像記憶部に記憶された撮影画像を拡大して前記画像表示部に表示させる拡大表示機能と、近距離撮影を行う際に用いられる接写機能と、撮影対象物を照らす照明機能と、表示画面上に撮影画像のみを表示する撮影画像全画面表示機能と、撮影画像サイズを待受画面サイズに合わせる撮影画像サイズ設定機能と、からなる群のうちから選択される少なくとも２以上の機能に関する処理を統合して行う拡大鏡モードを具備することを特徴とする携帯電話である。【０００９】
上記携帯電話において、前記拡大表示機能と、前記接写機能と、前記照明機能と、前記撮影画像全画面表示機能と、前記撮影画像サイズ設定機能と、のうちから、前記拡大表示機能と前記接写機能とを統合させると、接写機能により撮影したマクロ写真をさらに拡大して表示させることができる。前記拡大表示機能と前記照明機能とを統合させると、拡大写真を明るくして撮影することができる。前記拡大表示機能と、前記撮影画像全画面表示機能と、を統合させると、拡大した写真を広い範囲で表示させることができる。前記拡大表示機能と、前記撮影画像サイズ設定機能と、を統合させると、広い範囲を拡大して表示させることもできる。さらに、前記拡大表示機能と前記接写機能と前記照明機能とを統合させると、接写機能と照明機能とにより撮影した明るいマクロ写真をさらに拡大して表示させることができる。このように、それぞれの機能の特徴を組み合わせて、ユーザの望む写真を自動的に表示させることができるため、便利である。
【発明の効果】
【００１０】
本発明によれば、携帯電話に新たに拡大鏡モードという機能を付加し、簡単な操作で使用することができるようにした。また、ユーザ自らが拡大箇所を指定できるため、操作性が向上する。さらに、ユーザにとって拡大箇所が予め分かるため、拡大表示後領域から外れて再度カメラを移動させるような手間が生じない。さらに、拡大した場合にどこまで表示されるかの目安を得られるようにしたため、目で確認しながら操作を行うことができ、操作性が向上するという利点がある。【００１１】
また、拡大表示時の基準が表示させることにより、特に文章を読み進める場合、文章を認識しやすくなり、表示箇所移動時の助けとなる。操作キーによる移動を可能にすることにより、手の移動が少なくなり確実に次の領域を表示することが出来、正確な次の領域表示が可能となる。さらに、拡大表示に加え、表示文字の境界を強調して表示されることで、より視認性が向上するという利点がある。
【図面の簡単な説明】
【００１２】
【図１】本発明の実施の形態による携帯電話の機能モジュールを示すブロック図である。
【図２】本発明の第１の実施の形態による携帯電話の正面図である。
【図３】本発明の第１の実施の形態による携帯電話の表示画面を表示させた場合の正面図である。
【図４】本発明の第１の実施の形態による携帯電話において拡大鏡機能を起動させる処理手順例を示すフローチャート図である。
【図５】本発明の第２の実施の形態による携帯電話の表示画面例を示す図である。
【図６】本発明の第２の実施の形態による拡大希望位置が液晶画面の端にある場合の処理例を示す図である。
【図７】本発明の第２の実施の形態、第３の実施の形態による拡大鏡機能に用いられる拡大率テーブルの例を示す図である。
【図８】本発明の第２の実施の形態による拡大鏡機能による処理の流れを示すフローチャート図である。
【図９】本発明の第３の実施の形態による携帯電話における画面の表示例を示す図である。
【図１０】本発明の第３の実施の形態による拡大機能処理の流れを示すフローチャート図である。
【図１１】本発明の第４の実施の形態による携帯電話において拡大機能を実行させた場合の表示画面例を示す図である。
【図１２】本発明の第５の実施の形態による携帯電話の拡大機能を示す図である。
【図１３】本発明の第５の実施の形態による拡大鏡機能の処理の流れを示すフローチャート図である。
【図１４】本発明の第６の実施の形態による携帯電話の拡大機能に用いるソーベルフィルタの例を示す図である。
【図１５】本発明の実施の形態による携帯電話の処理手順の例を示すフローチャート図である。
【発明を実施するための最良の形態】
【００１３】
本明細書において、画像には文字なども含まれる。【００１４】
以下、本発明の第１の実施の形態について図面を参照しつつ説明を行う。図１は、本実施の形態による携帯電話機（以下「携帯電話」と称する。）の機能ブロック図である。図１に示すように、本実施の形態による携帯電話機は、操作部１と、カメラ制御部２と、照明部３と、ズーム部４と、接写部５と、画像記憶部６と、画像処理部７と、画像表示部８と、を有している。その他、通常の携帯電話機と同様に通信機能や通話機能などを有しているが、カメラ機能とは直接関係がないため図１では省略している。【００１５】
図１に示すように、撮影物を液晶画面に表示することができるカメラ機能を持つ携帯電話において、操作部１は、携帯電話のボタンやメニューの操作を行うための操作部であり、拡大鏡ボタンや各メニューの操作を行う。カメラ制御部２は、操作部の処理内容に応じてカメラを制御する。照明部３は撮影物を照射する機能を持ち、拡大鏡モード設定時には自動的にオンされる。ズーム部４は、撮影物を拡大撮影するための設定を行う。加えて、被写体との間の距離を自動的に測定する側距機能を備えていても良い。拡大率は、拡大鏡モードの設定をはじめ、各機能に応じて設定されている。接写部５は、撮影物を接写する場合に対象物に焦点を合わせる処理を行う。例えば、近くの書面の文字を拡大表示する場合などに用いる。画像記憶部６は、撮影画像データを記憶するものであり、拡大する前の画像を保存する際などにも用いられる。画像処理部７は、種々の画像処理を行う。画像表示部８は撮影画像を表示する。各機能の処理を行うことにより画像に処理が加わっている場合には、処理後の画像を表示する。これらのうち、照明部３と、ズーム部４と、接写部５と、画像記憶部６と、画像処理部７と、カメラ制御部２のうちこれらに関連する制御を一括して行う拡大鏡機能制御部２ａとを統合した部分を拡大鏡機能処理部Ｚと称し、以下に説明する種々の拡大鏡モードの機能に関する処理を行う部分である。【００１６】
本実施の形態による携帯電話は、撮影画像を液晶表示画面に表示する機能及び撮影画像を拡大する拡大表示機能を備えている携帯電話の拡大表示機能を拡大鏡として利用するためのインタフェースを持つことを特徴としている。【００１７】
カメラの拡大機能をそのまま使用したのでは、表示画面のサイズが小さく、暗い等の原因で拡大された内容が見難い。そこで、カメラ付き携帯電話に一般的に設けられている接写機能、照明機能、撮影画像全画面表示機能、撮影画像サイズ設定機能、拡大率変更機能を個々に操作して対応することも可能ではあるが、拡大鏡として使用する度にこれら複数の設定をそれぞれ行う必要があるため大変な手間である。【００１８】
図２及び図３は、本実施の形態による携帯電話機の正面図である。図２に示すように、本実施の形態による携帯電話機では、操作部に新たに拡大鏡モードキー９が設けられている。この拡大鏡モードキー９に代えて又は拡大鏡モードキーとともに、表示画面上に拡大鏡モードが表示され、これを選択することができる。【００１９】
図４は、拡大鏡モードの設定処理の流れを示すフローチャート図である。図１から図３までを適宜参照して説明を行う。図４に示すように、ステップＳ４０１において、カメラ制御部２が、拡大鏡モードキー９が押されるか、或いは、拡大鏡モードメニュー１０が選択されたことを検知すると、カメラを起動させる（ステップS402）。カメラが起動すると、撮影画像を拡大し（ステップS403）、接写機能を作動させ（ステップS404）、撮影画像サイズを設定し（ステップS405）、撮影画像を液晶全画面に表示しアイコンや時計を非表示にし（ステップS406）、照明を点灯する（ステップS407）という一連のステップを自動的に行う。画像の拡大・縮小は測距機能に基づいて自動的に行うようにしても良い。【００２０】
撮影画像の拡大に関しては、デフォルトとなる拡大率を予め決めておき、拡大鏡モード設定時はデフォルトの拡大率とすれば良い。撮影画像のサイズの設定とは、ある基準の大きさにサイズを設定することであり、例えば、撮影画像サイズを携帯電話の待受画面サイズと合わせることである。尚、上記の機能は、必ずしも全てを連続的に実行させなければならないというわけではなく、対象となる携帯電話に機能が備わっている場合のみ、或いは、予め設定しておいた機能のみを統合して一連の動作が行われるか又は一連の動作が起動するようにしておくことができる。また、上述の機能の実行順序については一例であり、実行順序は可変である。尚、表示画面上に表示されているアイコンや時計を非表示とし撮影画像のみを表示する撮影画像全画面表示機能を有しているのが好ましい。【００２１】
以上、本発明の第１の実施の形態による携帯電話においては、携帯電話に新たな拡大鏡モードを付加することにより、１つのボタン操作又はメニュー画面における選択操作のような簡単な操作により、拡大鏡モードを起動させ便利に使用することができる。【００２２】
次に、本発明の第２の実施の形態による携帯電話について図面を参照しつつ説明を行う。【００２３】
拡大表示を行う場合、拡大していくと表示される領域は狭くなる。例えば、文字を表示している場合、表示画面に拡大前に30文字表示されていたものが、拡大後は10文字しか表示されない。拡大表示する場合、拡大したい文字が画面から欠落することなく画面に表示されるようにしたい。本実施の形態による携帯電話は、拡大したい箇所を予め指定し、指定領域のみを拡大することを特徴とするものである。例えば、拡大希望箇所の中心を設定してから拡大表示を行う。図５は、本実施の形態による携帯電話の液晶表示画面１１を横方向に拡大表示する前の表示を示す図である。図５に示す拡大表示前の表示に対し、例えば十字キー１２を用いて拡大したい箇所を指定する。図７は、予め設定されている拡大率と表示領域との対応関係を示す図である。【００２４】
図８は、本実施の形態による拡大処理の流れを示すフローチャート図である。図８に示すように、本実施の形態による拡大表示では、拡大希望位置が指定されると（ステップS801）、例えば、図７に示す拡大率テーブルから次段階の拡大率を取得し（ステップS802）、図８に基づいて次の拡大率における表示領域サイズとを取得する（ステップS803）。図８に示すテーブルには、使用可能な拡大率と拡大時に表示可能な領域サイズとを定義しておく。次に、指定された拡大希望位置を取得し（ステップS804）、その位置を中心に拡大した場合、拡大表示領域が拡大前画像内に収まるか否かを判断する（ステップS805）。【００２５】
拡大前画像内に収まると判断された場合には、そのまま拡大希望位置を中心として拡大領域を設定する（ステップS806）。拡大前画像内に収まらないと判断された場合は、図６に示すように拡大希望位置１２を含む最も近い端を含む領域を拡大領域１３（破線で示される領域）として設定する処理を行う（ステップS807）。拡大領域が設定された後に、実際の拡大処理を行う（ステップS808）。拡大表示が行われることにより、一連の処理が終了する。【００２６】
以上のように、本実施の形態による携帯電話によれば、予め拡大率を決めておくことができるため、拡大に関する処理が簡単になる。さらに、拡大箇所を画面上で指定することができるため、拡大表示に関する操作性が向上するという利点がある。【００２７】
次に、本発明の第３の実施の形態による携帯電話について図面を参照しつつ説明を行う。本実施の形態による携帯電話において拡大表示を行う場合、拡大処理を行うと表示される領域は狭くなる。この点に関しては、上記第２の実施の形態において説明した通りである。【００２８】
画面表示を見る場合には、拡大鏡により拡大することにより表示を大きくして見たいという要求と、一度に多くの情報を得たいという要求とがあり、このような要求を満たすためには、通常は、拡大処理と縮小処理とを複数回繰り返すことにより、この要求を満たす拡大率を見つけ出す処理を行う。【００２９】
本実施の形態による携帯電話においては、拡大前に、拡大後の表示領域を「拡大ガイド」１４として示すことにより、従来は拡大縮小を繰り返す試行により見つけ出していた適切な拡大率を容易に見つけ出し、確実に操作することが出来るようにすることを特徴とする。尚、ガイドは、符号１４ａ、１４ｂに示すように任意にその範囲を拡大縮小することができる。すなわち、拡大機能は数段階にわたり拡大率を変更しながら拡大表示することが可能となっている。そこで、１段階拡大した場合の表示領域を示しても良いし、複数の段階の表示領域を示しても良い。その場合、領域の表示を点線で囲むなどの処理を行うことにより、拡大鏡として見る際に妨げにならないような表示とすることが好ましい。【００３０】
図９は、表示画面１１に拡大ガイド１４を複数表示させた場合の表示例を示す図である。この画面に基づいて、実際に拡大表示させた場合の表示領域を推定することができる。図１０は、拡大ガイドの表示処理に関する流れを示すフローチャート図である。図１０に示すように、拡大鏡モード時に、拡大ボタンが押され、それを検知した場合（ステップS1001）、その時点での拡大率を取得する（ステップS1002）。次に拡大率テーブル（図７）を参照し、次の拡大率と表示領域サイズとを取得する（ステップS1003）。続いて、次の拡大率を実施した場合の画像表示エリアを示す拡大ガイドを表示する（ステップS1004）。複数段階の拡大ガイドを表示する場合は、同様の処理を繰り返す（ステップS1005）。拡大ガイドを表示させた後に一定時間経過すると（ステップS1006）、拡大ガイドを消去し（ステップS1007）、実際の拡大表示を行う（ステップS1008）。【００３１】
本実施の形態による携帯電話によれば、拡大箇所が予め推定することができるため、拡大表示後に実際の拡大表示画面が、表示領域から外れて再度処理を行ったり、カメラを移動させなければならなくなったりするような手間が生じない。また、拡大した場合に、どこまで表示されるかというようなこととを、実際に目で確認しながら操作することができるため、操作性が向上するという利点がある。【００３２】
次に、本発明の第４の実施の形態による携帯電話について図面を参照しつつ説明を行う。携帯電話において拡大表示をする場合は、撮影物の一部分のみが表示画面上に拡大表示されるため、拡大表示されていない箇所とのつながりが掴みにくい。例えば、文章を拡大表示する場合、表示画面領域分だけが拡大表示され、書類の上下左右は表示されない為、行の感覚が掴みにくい。文章の続きを読み進める場合にも表示箇所を移動させる場合にも、認識しにくいという感覚がある。【００３３】
図１１は、本実施の形態による携帯電話における表示例を示す図である。図１１に示すように、画面上に線を引き、線と線の間の領域に色を付けて「行ガイド」１５とする。行ガイドを付けることにより、小さい画面上でも行の感覚を掴みやすくなり、表示画面を次の領域に移動させる際にも、行ガイドを基準に移動させることにより移動操作がしやすくなる。行ガイドの表示は、上記第１の実施の形態のように、拡大鏡設定時に同時に表示しても良く、或いは、別に表示できるようにしても良い。また、線や色の幅（あるいは高さ）や表示色は、表示内容に合わせてボタン操作などで自由に設定変更可能にするのが好ましい。尚、図１１は、行毎に背景の色を変更した例であり、行の間隔を大掴みすることが容易にできるという利点がある。【００３４】
次に、本発明の第５の実施の形態による携帯電話について図面を参照しつつ説明を行う。【００３５】
携帯電話において拡大表示を行う場合に、拡大していくと表示される領域は狭くなる。これは第２の実施の形態において述べた通りである。文章を読むような場合、表示領域が狭くなるためカメラ付き携帯電話を持つ手を少しずつ移動させる作業が必要となる。表示画面上に適切に画像を表示させるためには微調整が必要となり、これを何回も繰り返さなければならないため、操作が煩雑になる。そこで、本実施の形態による携帯電話では、拡大前の画像を保存しておき、この拡大前の保存画像を利用することにより、多少の表示位置の移動に関しては、携帯電話キーの操作で対応することを特徴する。図１２は、本実施の形態による携帯電話における操作について表示画面上で説明するための図である。図１２において、符号１８は拡大前の画像領域を示し、この内容を画像記憶部６（図１）に記憶しておく。携帯電話の操作キーの移動方向１６により、次に表示する領域を決定する（例えば右方向であれば符号１７を表示する）。【００３６】
図１３に基づいて、本実施の形態による携帯電話の表示位置の移動手順の処理例を示す。図１３に示すように、本実施の形態による携帯電話では、まず拡大鏡モードに入ると（ステップS1301）、拡大前の画像を取得し（ステップS1302）これをメモリに記録する（ステップS1303）。その後、通常通り拡大表示を行う（ステップS1305）。続いて、移動キーが押されると（ステップS1306）移動の方向を取得し（ステップS1307）、拡大前表示領域に対する拡大時領域の座標の変位を算出する（ステップS1308）。その後、移動の方向に合わせて拡大表示領域の座標を新たに算出し（ステップS1309）、移動後の画面を表示する（ステップS1310）。【００３７】
本実施の形態による携帯電話を用いると、操作キーによる移動が可能となるため、手の移動が少なくなり確実に次の領域を表示することが出来るため、正確な次の領域表示が可能となる。【００３８】
次に、本発明の第６の実施の形態による携帯電話について図面を参照しつつ説明を行う。【００３９】
拡大表示している文字を強調する画像処理を行うことにより、拡大鏡としてより見やすくすることができる。文字が見にくいという状況には、文字が小さくて見にくいことに起因する問題の他に、文字と背景との境界がはっきりしないことに起因して文字が読み取りにくいという原因も存在する。例えば、文字の色と背景の色とが似ている場合や、文字の輪郭がぼやけている場合などがある。このような場合に、文字を拡大する処理に加えて、撮影画像に対し画像処理を加えることでより、文字認識をしやすくすることができる。【００４０】
文字とそれ以外部分との境界を強調する処理としては、ソーベル、プレウィット、ラプラシアン等のフィルタを用いることができる。例えば、ソーベルフィルタとして図１４に示すフィルタを用いることができる。図１４（ａ）は縦エッジ検出フィルタ、（ｂ）は横エッジ検出フィルタである。図１４に示すソーベルフィルタは、描画画素を中心とし、さらに周囲の８画素の重みの係数を有するフィルタであり、これらの係数に基づいて算出される周辺画素の値から、描画画素の値を求めるエッジ検出手法の１つである。このフィルタの適用例を図１５に示す。図１５は、フィルタを用いた処理の流れを示すフローチャート図である。図１５に示すように、拡大鏡モード検知した後（ステップS1501）、文字が見にくい場合には、さらに強調表示モードを検知し（ステップS1502）、強調モードを検知するとエッジ強調処理によりエッジ強調（ステップS1503）を行えばよい。本実施の形態によれば、拡大表示に加え、表示文字の境界を強調して表示されるため、より視認性が向上するという利点がある。【００４１】
尚、測距の結果又は前回のデータなどに基づいて、デフォルト値が自動的に変更されるように構成しても良いし、デフォルト値の群としての拡大鏡モードを複数用意しておいても良い。【００４２】
また、本実施の形態においては、拡大表示について説明したが、必要に応じて縮小表示に関しても同様の処理を行うことが可能である。また、実施の形態において示した処理をコンピュータに実行させるための各種のプログラムも本発明の範疇に入るものとする。
【産業上の利用可能性】
【００４３】
本発明の拡大鏡機能は、携帯電話の他、ＰＤＡなどの種々の携帯端末に利用することができる。また、画面の大きさに関わりなく操作性を向上できるため、液晶テレビなどの種々の電子機器にも応用が可能である。
【図１】
2005041563.tif 000003
【図２】
2005041563.tif 000004
【図３】
2005041563.tif 000005
【図４】
2005041563.tif 000006
【図５】
2005041563.tif 000007
【図６】
2005041563.tif 000008
【図７】
2005041563.tif 000009
【図８】
2005041563.tif 000010
【図９】
2005041563.tif 000011
【図１０】
2005041563.tif 000012
【図１１】
2005041563.tif 000013
【図１２】
2005041563.tif 000014
【図１３】
2005041563.tif 000015
【図１４】
2005041563.tif 000016
【図１５】
2005041563.tif 000017
【国際調査報告】
2005041563.tif 000018
2005041563.tif 000019
2005041563.tif 000020
2005041563.tif 000021
2005041563.tif 000022
2005041563.tif 000023